(57)【要約】【課題】ソース側のパススルー機に複数のＨＤＭＩ入力を持たせて、１台のパススルー機に複数のソース機器を接続可能とする。【解決手段】複数の有線送受信手段を備え、いずれかの有線送受信手段を介して信号を送受信するソース機器と、他の無線送受信機に接続されたシンク機器との間の通信を、他の無線送受信機との無線通信を介して行う無線送受信機。いずれかの有線送受信手段により有線信号の送受信を行うソース機器につき、各ソース機器が使用する有線送受信手段と、信号の送信先を特定するために該各ソース機器に割り当てられた論理アドレスとを関連づけて登録するアドレステーブルを利用し、いずれか有線送受信手段がソース機器からの信号を受信すると、受信信号に含まれる該ソース機器の論理アドレスに基づき、受信信号が信号変換手段へ入力されるように選択手段を切り替える。【選択図】  図３
2011101324.tif 000002
【特許請求の範囲】
【請求項１】
複数の有線送受信手段を備え、いずれかの有線送受信手段を介して信号を送受信するソース機器と、他の無線送受信機に接続されたシンク機器との間の通信を、前記他の無線送受信機との無線通信を介して行う、無線送受信機であって、
前記他の無線送受信機との無線通信を行う無線送受信手段と、
前記有線送受信手段が送受信する有線信号と、前記無線送受信手段が送受信する無線信号とを相互に変換する変換手段と、
前記変換手段と接続される有線送受信手段を切り替えて、前記複数の有線送受信手段のうちのいずれか１つが前記変換手段と接続されるように動作する選択手段と、
前記選択手段の切り替え動作を制御する制御手段と
を備え、
前記制御手段は、
前記複数の有線送受信手段のいずれかを介して有線信号の送受信を行うソース機器につき、各ソース機器が使用する有線送受信手段と、信号の送信先を特定するために該各ソース機器に割り当てられた論理アドレスとを関連づけて登録するアドレステーブルを利用して、前記複数の有線送受信手段のいずれかが前記ソース機器からの信号を受信した場合に、受信した前記信号に含まれる該ソース機器の論理アドレスに基づき、該受信した信号を前記変換手段へ入力するように前記選択手段の切り替え動作を制御し、
前記アドレステーブルは、前記ソース機器の前記無線送受信機に対する接続のツリー構造に基づいて作成されたことを特徴とする無線送受信機。
【請求項２】
前記制御手段は、前記ソース機器からの信号に、該ソース機器がコンテンツの再生対象になっていることを示すコマンドが含まれる場合に、前記選択手段の切り替え動作を行うことを特徴とする請求項１に記載の無線送受信機。
【請求項３】
前記無線送受信機は、
前記無線送受信手段を介して受信した前記シンク機器が出力可能な映像に関するフォーマット情報を少なくとも記憶し、かつ、前記複数の有線送受信手段のいずれかと関連づけられた、複数の記憶手段をさらに備え、
前記アドレステーブルは、
前記制御手段が、機器の物理的な位置を把握するために用いられる物理アドレスであって、互いに異なる物理アドレスを前記複数の記憶手段にそれぞれ記憶させ、
前記制御手段が、前記有線送受信手段を介して該物理アドレスを前記ソース機器に取得させ、
前記制御手段が、前記ソース機器が取得した物理アドレスを、前記無線送受信機へ送信させることにより前記有線送受信手段を介して取得し、
前記ソース機器より取得した物理アドレスと、前記複数の記憶手段に記憶させたそれぞれの物理アドレスとの対応に基づいて、各ソース機器が有線信号の送受信に使用する無線送受信手段を特定し、
特定した前記無線送受信手段と、各ソース機器の前記論理アドレスとを関連づけることにより作成される
ことを特徴とする請求項１または２に記載の無線送受信機。
【請求項４】
前記アドレステーブルが作成された後、
前記制御手段が、前記複数の記憶手段のそれぞれに記憶されている物理アドレスを、前記シンク機器の物理アドレスで更新し、
前記制御手段が、有線送受信手段を介して更新後の物理アドレスを前記ソース機器に取得させる
ことを特徴とする請求項３に記載の無線送受信機。
【請求項５】
前記無線送受信手段が、前記他の無線送受信機を介して前記シンク機器からの信号を受信した場合に、
前記制御手段は、
前記シンク機器からの信号の送信先が、特定のソース機器のみであるか否かを判定し、
前記送信先が前記特定のソース機器のみであると判定された場合に、前記シンク機器からの信号が、該ソース機器にコンテンツの再生を要求するコマンドを含むか否かを更に判定し、
前記コマンドを含むと判定された場合に、該シンク機器からの信号に含まれる前記特定のソース機器の論理アドレスを保持し、
前記ソース機器からパスの切り替え指示を更に受信した場合に、保持している前記論理アドレスを有するソース機器が使用する前記有線送受信手段と前記変換手段とが接続されるように、前記選択手段の切り替え動作を制御する
ことを特徴とする請求項１乃至４のいずれか１項に記載の無線送受信機。
【請求項６】
前記有線送受信手段はＨＤＭＩ端子であり、
前記有線送受信手段を介して送受信される信号はＨＤＭＩ信号である
ことを特徴とする請求項１乃至５のいずれか１項に記載の無線送受信機。
【請求項７】
前記アドレステーブルの作成は、前記無線送受信機の電源投入時、または、前記ツリー構造に新たなソース機器が追加された場合に行われることを特徴とする請求項１乃至６のいずれか１項に記載の無線送受信機。
【請求項８】
複数の有線送受信手段を備え、いずれかの有線送受信手段を介して信号を送受信するソース機器と、他の無線送受信機に接続されたシンク機器との間の通信を、前記他の無線送受信機との無線通信を介して行う、無線送受信機の制御方法であって、
前記無線送受信機は、
前記他の無線送受信機との無線通信を行う無線送受信手段と、
前記有線送受信手段が送受信する有線信号と、前記無線送受信手段が送受信する無線信号とを相互に変換する変換手段と、
前記変換手段と接続される有線送受信手段を切り替えて、前記複数の有線送受信手段のうちのいずれか１つが前記変換手段と接続されるように動作する選択手段と、
前記選択手段の切り替え動作を制御する制御手段と
を備え、
前記方法は、
前記制御手段が、前記複数の有線送受信手段のいずれかを介して有線信号の送受信を行うソース機器につき、各ソース機器が使用する有線送受信手段と、信号の送信先を特定するために該各ソース機器に割り当てられた論理アドレスとを関連づけて登録するアドレステーブルを利用して、前記複数の有線送受信手段のいずれかが前記ソース機器からの信号を受信した場合に、受信した前記信号に含まれる該ソース機器の論理アドレスに基づき、該受信した信号を前記変換手段へ入力するように前記選択手段の切り替え動作を制御する工程を備え、
前記アドレステーブルは、前記ソース機器の前記無線送受信機に対する接続のツリー構造に基づいて作成されたことを特徴とする無線送受信機の制御方法。
【発明の詳細な説明】
【技術分野】
【０００１】
本発明は、無線送受信機及びその制御方法に関する。
【背景技術】
【０００２】
映像表示装置と映像供給装置間を接続するためのデジタル映像音声伝送規格として、ＨＤＭＩ（High-Definition Multimedia Interface）が知られている。ＨＤＭＩを利用すれば、レコーダー等の外部機器から１本のケーブルで他の機器（シンク機器；テレビジョン装置など）に映像信号と音声信号を伝送することができる。
【０００３】
更に、ＨＤＭＩには機器間制御のためのＣＥＣ（Consumer Electronics Control）に関する規格が定められている。ＣＥＣ機能を利用すれば、一方の機器から、ＨＤＭＩケーブルで接続された他方の機器をリモート操作することができる。例えば、ＨＤＭＩケーブルでテレビジョン装置（テレビ）に接続されたレコーダーの再生ボタンが押されると、テレビの電源が投入され、テレビの入力がそのレコーダーの入力に切り替えられる、という動作が可能になる。また、テレビからレコーダーを操作することもできる。例えば、テレビのリモコンを用いてレコーダーのコンテンツの一覧（コンテンツリスト）を表示させ、そのコンテンツリストから所望のコンテンツを選択することにより、レコーダーの再生動作が行われる、という動作が可能になる。
【０００４】
ＨＤＭＩで機器が接続された際には、ソース側の機器がシンク側の機器に対して５Ｖ電源を供給する。シンク側の機器がこの５Ｖ電源を検知した際には、シンク側の機器が持つＥＤＩＤ−ＲＯＭ(Extended Display Identification Data -ROM)を読み出し可能な状態にした上でＨＰＤ（Hot Plug Detect）ラインのアサートを行う。これによりソース側の機器に対してＥＤＩＤ−ＲＯＭが読み出し可能な状態であることを知らせる。ＥＤＩＤ−ＲＯＭの中には、ＥＤＩＤとしてシンク機器が出力可能な映像等に関するフォーマット情報のほかに、接続機器の物理的な位置を把握するための情報である物理アドレス（Physical address：Ｐ．Ａ）が格納されている。このＥＤＩＤの情報は、例えばソース機器の映像をシンク機器に表示させる場合にシンク機器側の入力切替を適切に行うために利用することができる。一般的にはＣＥＣコマンドを用いてこの物理アドレスを伝えることにより、上記のような機器同士の連携動作が可能になる。特許文献１は、ＣＥＣコマンドと物理アドレスとを用いた機器連携動作の仕方を説明する。特許文献１は、多数の機器が接続された場合でも、物理アドレスを有効に用いることで適切な映像ソースを映像表示装置に表示可能とする制御方法を開示する。
【０００５】
また、ＣＥＣコマンドを送信する場合には、ＣＥＣコマンド専用のアドレスが必要であり、ＣＥＣ用アドレスとして論理アドレス（Logical address：Ｌ．Ａ)が存在する。このアドレスは機器種別により、割り当てられるアドレスが決まっている。例えばレコーダならば１,２,９のいずれかが割り当てられ、ＡＶアンプ等のオーディオ機器であれば５が割り当てられると決まっているのでこの論理アドレスを参照することで機器種別を判別することが可能である。ＣＥＣコマンド中に付与される、コマンドの送信元アドレス（Initiator address）を参照することで、どの機器から送信されたコマンドなのかがわかる。また送信先アドレス（Destination address）を参照することでどの機器宛のコマンドであるのかがわかるようになっている。非特許文献１は、ＣＥＣや論理アドレスの取得方法等について開示する。
【０００６】
また最近では映像と音声を無線で伝送する技術が確立されつつあり、例えばWireless HD等の規格が策定されている。この規格に対応した機器同士であれば機器同士をケーブル等で接続しなくても、無線での映像と音声の伝送、機器制御等が可能である。一方でこの規格に未対応のＨＤＭＩ等有線の接続方法しか持たない従来機器の映像と音声の無線伝送方法として、Wireless HDには「HDMI pass through mode（ＨＤＭＩパススルーモード）」というモードが用意されている。これは図８に示すように無線伝送機能を備えた１対のパススルー機を用いて、無線伝送に非対応の機器同士を無線で接続するためのモードである。レコーダ８０４のコンテンツをテレビ８０１で再生する際には、レコーダ８０４の映像と音声を有線信号でパススルー機Ｂ８０３へ伝送し、パススルー機Ｂ８０３は受け取った映像と音声の信号を無線信号に変換してパススルー機Ａ８０２へ伝送する。パススルー機Ａ８０２は受け取った無線信号を再び有線信号へ変換してテレビ８０１へ伝送することで、レコーダ８０４の映像と音声をテレビ８０１に出力することが可能になる。
【０００７】
なお、レコーダが映像と音声の出力フォーマットを決定するためには、前述のように映像表示装置のＥＤＩＤが必要である。パススルー機Ａ８０２はＨＤＭＩケーブルのＤＤＣラインを通して、テレビ８０１が内部に持つＥＤＩＤ−ＲＯＭ-Ａ８０５からＥＤＩＤを読み出す。パススルー機Ａ８０２は無線通信によって、パススルー機Ｂ８０３へＥＤＩＤの情報を伝送する。パススルー機Ｂ８０３は無線通信によって伝えられたＥＤＩＤの情報を自らが持つＥＤＩＤ−ＲＯＭ-Ｂ８０６に書き込む。レコーダ８０４はＨＤＭＩのＤＤＣラインを用いてＥＤＩＤ−ＲＯＭ-Ｂ８０６の情報を読み出すことで、テレビ８０１のＥＤＩＤを取得することが可能になる。なお、パススルー機はＣＥＣラインの制御信号も無線に変換して伝送する（以下ＣＥＣパススルーと表記する）ことができる。パススルー機Ａ８０２とパススルー機Ｂ８０３を用いることによって、テレビ８０１とレコーダ８０４とは、お互いが直接有線で接続されているのと同様の動作が可能になる。
【０００８】
ところで無線通信に非対応のソース機器をもう一台接続しようとした場合には、図９のような構成が考えられる。その際にはパススルー機Ａ９０２とパススルー機Ｃ９０５とは、各自の接続先のＥＤＩＤ−ＲＯＭ-Ａ９０８、又は、ＥＤＩＤ−ＲＯＭ-Ｂ９０９からＥＤＩＤを読み出し、無線伝送にてパススルー機Ｂ９０３とパススルー機Ｄ９０６に伝える。パススルー機Ｂ９０３とパススルー機Ｄ９０６は自らのＥＤＩＤ−ＲＯＭ（非図示）にそれぞれ受け取った値と同じ値のＥＤＩＤを書き込む。シンク機器におけるＨＤＭＩ端子ごとのＥＤＩＤの違いは一般的には物理アドレスのみである。レコーダＡ９０４は物理アドレス"１.０.０.０"を取得して、レコーダＢ９０７は物理アドレス"２.０.０.０"をそれぞれ取得する。
【０００９】
各レコーダはこの物理アドレスを使用して所謂ワンタッチプレイを行う。ワンタッチプレイでは、ソース機器における１回のボタン操作に応じてテレビ側で入力切替が行われて、ソース機器から提供される音声や映像がテレビから出力される。例えばレコーダＡ９０４が再生を開始する時には、ＣＥＣコマンドの"Active source １.０.０.０"を送信する。なお、「Active source」は、再生対象になっているソース機器を表す。テレビ９０１は受信コマンドにおいて「Active source」である機器の物理アドレスが"１.０.０.０"であることから、自らのＨＤＭＩセレクタをＨＤＭＩ端子Ａに切り替えることでレコーダＡ９０４の映像と音声をテレビ９０１に出力できる。その際に、パススルー機Ａ９０２とパススルー機Ｂ９０３はお互いに無線でＨＤＭＩの信号を伝送するが、テレビ９０１やレコーダＡ９０４はそれを意識する必要はなく、それぞれが直接有線で接続されている時と同じような動作が可能である。同様に、レコーダＢ９０７の再生開始時には、ＣＥＣコマンド"Active source ２.０.０.０"を送信する。テレビ９０１は、受信コマンドに応じてＨＤＭＩセレクタをＨＤＭＩ端子Ｂ側に切り替えるので、レコーダＢ９０７の映像と音声を出力することができる。
【先行技術文献】
【特許文献】
【００１０】
【特許文献１】特開２００８-５４３００号公報
【非特許文献】
【００１１】
【非特許文献１】ＨＤＭＩ Licensing, LLC  "High-Definition Multimedia Interface Specification Version 1.3a"  November 10,2006
【発明の概要】
【発明が解決しようとする課題】
【００１２】
以上に述べたように、無線伝送に対応したパススルー機を用いることで、無線伝送機能を持たない機器の映像と音声を無線で伝送することが可能であるが、ソース機器を１台接続するごとに新たに１対（２台）のパススルー機が必要になる。これはユーザーにとっては経済面においても、利便性においても大きなデメリットであり、１対のパススルー機で複数のソース機器が接続できることが望ましい。
【００１３】
そこで、本願発明は、ソース側のパススルー機に複数のＨＤＭＩ入力を持たせて、１台のパススルー機に複数のソース機器を接続可能とすることを目的とする。
【課題を解決するための手段】
【００１４】
上記課題を解決するため本発明は、複数の有線送受信手段を備え、いずれかの有線送受信手段を介して信号を送受信するソース機器と、他の無線送受信機に接続されたシンク機器との間の通信を、前記他の無線送受信機との無線通信を介して行う、無線送受信機であって、
前記他の無線送受信機との無線通信を行う無線送受信手段と、
前記有線送受信手段が送受信する有線信号と、前記無線送受信手段が送受信する無線信号とを相互に変換する変換手段と、
前記変換手段と接続される有線送受信手段を切り替えて、前記複数の有線送受信手段のうちのいずれか１つが前記変換手段と接続されるように動作する選択手段と、
前記選択手段の切り替え動作を制御する制御手段と
を備え、
前記制御手段は、
前記複数の有線送受信手段のいずれかを介して有線信号の送受信を行うソース機器につき、各ソース機器が使用する有線送受信手段と、信号の送信先を特定するために該各ソース機器に割り当てられた論理アドレスとを関連づけて登録するアドレステーブルを利用して、前記複数の有線送受信手段のいずれかが前記ソース機器からの信号を受信した場合に、受信した前記信号に含まれる該ソース機器の論理アドレスに基づき、該受信した信号を前記変換手段へ入力するように前記選択手段の切り替え動作を制御し、
前記アドレステーブルは、前記ソース機器の前記無線送受信機に対する接続のツリー構造に基づいて作成されたことを特徴とする。
【発明の効果】
【００１５】
本願発明によれば、ソース側のパススルー機に複数のＨＤＭＩ入力を持たせて、１台のパススルー機に複数のソース機器が接続可能となる。
【図面の簡単な説明】
【００１６】
【図１】１対のパススルー機に複数のソース機器が接続する構成を示す図。
【図２】実施形態１のパススルー機の機能ブロック図。
【図３】実施形態１のシステム構成図。
【図４】実施形態１のパススルー機が接続機器のツリー構成を把握する処理のフローチャート。
【図５】実施形態のアドレステーブル及び対象機器特定用テーブルを示す図。
【図６】実施形態１のパススルー機の動作のフローチャート。
【図７】実施形態２のパススルー機が、シンク機器が操作しようとする機器を特定する処理のフローチャート。
【図８】従来のパススルーモードの説明図。
【図９】従来のパススルーモードで複数のソース機器を接続する場合の説明図。
【発明を実施するための形態】
【００１７】
以下、添付の図面を参照して発明の実施形態を説明する。
【００１８】
まず最初に、１対のパススルー機で複数のソース機器が接続可能とする構成として、図１（ａ）のようにソース側のパススルー機Ｂ１０３に複数のＨＤＭＩ入力を持たせて、１台のパススルー機に複数のソース機器を接続する方法が考えられる。テレビ１０１側には、パススルー機Ａ１０２が接続され、パススルー機Ｂ１０３と無線通信している。この場合パススルー機Ｂ１０３は、ＨＤＭＩ入力の端子の数と同じだけのＥＤＩＤ−ＲＯＭを持つ必要がある。図１（ａ）では、２つのレコーダ１０４、１０５に対応してＥＤＩＤ−ＲＯＭ−Ａ１０６、ＥＤＩＤ−ＲＯＭ−Ｂ１０７が設けられている。
【００１９】
ここでパススルー機Ｂ１０３のＥＤＩＤ−ＲＯＭに書き込む物理アドレスについては、両方とも同じ"１.０.０.０"を書き込む方法と、複数のＥＤＩＤ−ＲＯＭにそれぞれ違う物理アドレスの値を書き込む方法の２通りが考えられる。
【００２０】
図１（ｂ）に同じ物理アドレスを書き込む方法を採用した場合の接続例を示す。図１（ｂ）では、パススルー機Ｂ１０３とレコーダＡ１０４の間にセットトップボックス（ＳＴＢ）１０９が接続され、パススルー機Ｂ１０３とレコーダＢ１０５との間にＡＶアンプ１１０が接続されている場合を示す。このとき、テレビ１０１のＨＤＭＩ端子Ａに接続されているＥＤＩＤ−ＲＯＭ１０８に記述されている物理アドレス"１.０.０.０"をパススルー機Ｂの持つ２つのＥＤＩＤ−ＲＯＭ１０６、１０７にそれぞれ書き込む。するとそのＥＤＩＤを読み出したＳＴＢ１０９とＡＶアンプ１１０はそれぞれ物理アドレス"１.０.０.０"を取得する。レコーダＡ１０４とレコーダＢ１０５はそれぞれＳＴＢ１０９とＡＶアンプ１１０が内部に持つＥＤＩＤ−ＲＯＭ（非図示）からＥＤＩＤ読み出し物理アドレス"１.１.０.０"を取得する。
【００２１】
ソース機器の映像と音声を無線でシンク機器に伝送するためには、パススルー機Ｂ１０３が自らのＨＤＭＩセレクタ（非図示）を切り替えて、無線信号に変換するＨＤＭＩ信号を選択する必要がある。ここでＣＥＣコマンドを用いたワンタッチプレイを行う場合、ソース機器が自らの物理アドレスをＣＥＣコマンド中に付加して、シンク機器に送信して入力切替の要求をする。例えばレコーダＡ１０４がワンタッチプレイを行う際には"Active source １.１.０.０"を送信することになる。しかしながら図１（ｂ）の構成では、複数のＨＤＭＩ端子のＥＤＩＤ−ＲＯＭに同じ物理アドレスを書いているため、レコーダＢ１０５も同じ物理アドレス"１.１.０.０"を取得することになる。そのためこの物理アドレスからでは、上記ＣＥＣコマンドがＨＤＭＩ端子Ａに接続された機器から送信されたものであるのか、ＨＤＭＩ端子Ｂに接続された機器から送信されたものであるのかが、パススルー機Ｂ１０３は判断できない。そのため、パススルー機Ｂ１０３は自らのＨＤＭＩセレクタをどちら側に切り替えていいのかが分からない状況が発生する。
【００２２】
この状況を打開するために、パススルー機が自らのＥＤＩＤ−ＲＯＭに書き込む物理アドレスを端子毎に違う値として書き込む方法を考える。例えば図１（ｃ）のようにＨＤＭＩ端子Ａ側のＥＤＩＤ−ＲＯＭ−Ａ１０６に"１.０.０.０"を書き込み、ＨＤＭＩ端子ＢのＥＤＩＤ−ＲＯＭ−Ｂ１０７に"２.０.０.０"を書き込むこととする。この場合、パススルー機Ｂ１０３は物理アドレスによってＨＤＭＩセレクタの切り替えが可能になる。例えばＣＥＣコマンドの"Active source １.１.０.０"を受信した際には、パススルー機Ｂ１０３は自らのＨＤＭＩセレクタをＨＤＭＩ端子Ａ側に切り替えればよい。また"Active source ２.１.０.０"を受信した際には、パススルー機Ｂ１０３は自らのＨＤＭＩセレクタをＨＤＭＩ端子Ｂ側に切り替えればよい。このようにすることで、パススルー機Ｂ１０３が入力切り替えをすることができる。
【００２３】
その一方、物理アドレス"２.○.○.○"は本来であれば、テレビ１０１のＨＤＭＩ端子Ｂ側に接続された機器に与えられる物理アドレスである。よって、ＣＥＣコマンド"Active source ２.１.０.０"を受信すると、テレビ１０１は自らのＨＤＭＩ端子Ｂ側に接続された機器からの入力切替要求のコマンドであると判断し、ＨＤＭＩセレクタをＨＤＭＩ端子Ｂ側に切り替える。そのためテレビ１０１のＨＤＭＩ端子Ａから入力されるレコーダＢ１０５の映像と音声はテレビ１０１に出力されない状況が発生する。
【００２４】
以上によれば、パススルー機とテレビの両方が接続関係を正しく把握可能とする方法が必要であり、当該方法を提供する発明の実施形態を以下では具体的に説明する。
【００２５】
［第１実施形態］
図２は本実施形態に係る、ＨＤＭＩの無線送受信機としてのパススルー機Ｂ２００の構成を示すブロック図である。なお、本実施形態では、パススルー機を独立の機器として説明するが、本実施形態で説明するパススルー機は、他の機器の機能の一部として一体化されていてもよい。その場合、当該他の機器は、機器本来の機能を発揮する他、無線通信に非対応のソース機器のためにパススルー機として機能することができる。
【００２６】
まず、有線送受信部Ａ２０２、有線送受信部Ｂ２０３はそれぞれＨＤＭＩで接続された外部機器からの有線信号を受信し、受信信号を内部の適切な場所に分配する。これらの有線送受信部は、ＨＤＭＩ端子において提供される。本実施形態では説明の簡略化のために有線送受信部の数を２つとしたが、より多くの数を含むことが可能であり、実際にはＨＤＭＩ端子と同じ数だけ有することになる。
【００２７】
ＨＤＭＩのＴＭＤＳ(Transition Minimized Differential Signaling)ラインは、有線送受信部Ａ２０２又は有線送受信部Ｂ２０３を介して、ＴＭＤＳセレクタ２０６に入力される。ＨＤＭＩのＨＰＤラインは、有線送受信部Ａ２０２又は有線送受信部Ｂ２０３を介して制御部２０１に入力される。ＨＤＭＩのＤＤＣラインは、有線送受信部Ａ２０２又は有線送受信部Ｂ２０３を介してＥＤＩＤ−ＲＯＭ-Ａ２０４とＥＤＩＤ−ＲＯＭ-Ｂ２０５にそれぞれ接続され、ＥＤＩＤを読出し可能となっている。また、ＣＥＣラインは、有線送受信部Ａ２０２又は有線送受信部Ｂ２０３を介して制御部２０１に接続され、制御部２０１により無線送受信部２０７との接続が切り替えられる。なおＤＤＣライン及びＴＭＤＳラインは、本来は複数のラインであるが図中では単線で図示している。
【００２８】
制御部２０１は、無線送受信部２０７を通して受け取ったＥＤＩＤ ＤＡＴＡをＥＤＩＤ−ＲＯＭ-Ａ２０４、ＥＤＩＤ−ＲＯＭ-Ｂ２０５に必要に応じてデータを変換した上で書き込む。また制御部２０１は、ＴＭＤＳセレクタ２０６を切り替えて無線送受信部２０７が無線送信用信号に変換するデータを選択する。制御部２０１はまた、受信したＣＥＣデータを解析し、必要に応じてスイッチを切り替えることで無線送受信部２０７へのＣＥＣ信号の伝送を止めることができる。制御部２０１はさらに、ＨＰＤラインを操作して、必要に応じて接続機器に対してＥＤＩＤ−ＲＯＭからＥＤＩＤの読み出しを行わせることができる。各ＥＤＩＤ−ＲＯＭには、シンク機器が出力可能な映像等に関するフォーマット情報のほかに、接続機器の物理的な位置を把握するための物理アドレスが記憶されている。なお、制御部２０１は、例えばＣＰＵがＲＯＭに格納された処理プログラムを実行することにより実現されてもよいし、或いは、ＡＳＩＣやＦＰＧＡのようなロジック回路をプログラミングして実現してもよい。
【００２９】
無線送受信部２０７は、Wireless HDの規格に従って、他の無線送受信機であるパススルー機と無線通信を行う。また、有線信号と無線信号とを相互に変換する変換部２０８を有し、有線で受け取った様々なＨＤＭＩのデータを無線信号に変換して他の無線機器へ伝送することができる。また無線送受信部２０７は無線で受信したデータを有線のＨＤＭＩデータに変換して伝送することができる。これらについては図示されていないＨＤＭＩの信号についても同様である。なお、変換部２０８は、ＴＭＤＳセレクタ２０６に含まれていてもよいし、或いは、該ＴＭＤＳセレクタ２０６が制御部２０１に含まれる場合には、制御部２０１に含まれていてもよい。ＴＭＤＳセレクタ２０６は、制御ラインを介した制御部２０１からの制御に従って、無線送受信部２０７に提供するＴＭＤＳラインを切り替える。なお、ＴＭＤＳセレクタ２０６は、制御部２０１に含まれていてもよいし、或いは、無線送受信部２０７に含まれていてもよい。
【００３０】
次に、図３（ａ）に本実施形態におけるシステム構成図を示す。パススルー機Ｂ３０３は、図２のパススルー機Ｂ２００と同一構成を有する。またパススルー機Ａ３０２は、有線と無線の変換のみを行う通常のパススルー機であるとする。図３（ａ）では、テレビ３０１のＨＤＭＩ端子Ａにはパススルー機Ａ３０２が接続されており、テレビ３０１のＨＤＭＩ端子ＢにはＳＴＢ−Ｂ３０８が接続されている。ＳＴＢ−Ｂ３０８の入力端子にはレコーダＣ３０９が接続されている。本実施形態では、シンク機器としてテレビを例として説明するが、シンク機器は、ＨＤＭＩで転送可能な映像・音声信号を出力可能な出力機器であればよく、テレビに限らず、ビデオプロジェクターなどであってもよい。
【００３１】
またパススルー機Ａ３０２と無線で通信するパススルー機Ｂ３０３のＨＤＭＩ端子Ａには、ＳＴＢ−Ａ３０４が接続されており、パススルー機Ｂ３０３のＨＤＭＩ端子ＢにはＡＶアンプ３０６が接続されている。ＳＴＢ−Ａ３０４の入力端子にはレコーダＡ３０５が接続されており、ＡＶアンプ３０６の入力端子にはレコーダＢ３０７が接続されている。本実施形態では、シンク機器であるテレビ３０１に映像信号を出力可能なレコーダやＳＴＢ、或いは音声信号を出力可能なＡＶアンプのことを総称してソース機器と呼ぶ。ソース機器には、その他にレコーダの他にＤＶＤやブルーレイディスクのプレーヤ、ビデオデッキ、デジタルカメラなどの映像・音声の再生が可能な機器が含まれる。
【００３２】
本実施形態では、まず初めにパススルー機Ｂ３０３が、自らに有線で接続された機器の接続構成を把握する必要がある。接続構成を把握するタイミングは、パススルー機の電源投入時点や、パススルー機の有線接続側に新たに機器が追加されて接続構成に変更があった時などである。ここでは、パススルー機の電源が投入されたタイミングでの方法について説明するが、実行タイミングが違うだけで、実行動作は基本的に同じである。
【００３３】
まず、ソース側のパススルー機Ｂ３０３のＥＤＩＤ−ＲＯＭには、シンク側のパススルー機Ａ３０２から無線伝送されたＥＤＩＤの値を書き込むことになる。パススルー機Ｂ３０３の電源投入直後には、パススルー機Ａ３０２からＥＤＩＤを受け取っていないため、パススルー機Ｂ３０３のＥＤＩＤ−ＲＯＭ３１２、３１３の値は不定になる。それに伴いパススルー機Ｂ３０３の後に接続された機器の物理アドレスも同様に不定になる。この状態からパススルー機Ｂ３０３が接続機器のツリー構成を把握するための処理を図４のフローチャートに示す。当該処理は、制御部２０１が、対応する処理プログラムを実行することにより実現することができる。
【００３４】
まず、パススルー機Ａ３０２、パススルー機Ｂ３０３の電源が投入されると、パススルー機Ａ３０２は、テレビ３０１のＨＤＭＩ端子Ａに接続されたＥＤＩＤ−ＲＯＭ３１０のＥＤＩＤを読み出し、それを無線伝送で送信する。パススルー機Ｂ３０３はＳ４０１で、そのＥＤＩＤを受信する。パススルー機Ｂ３０３では、制御部２０１が受信したＥＤＩＤを自らのＥＤＩＤ−ＲＯＭ３１２、３１３に書き込む。その際、Ｓ４０２では、パススルー機Ｂ３０３のＨＤＭＩ端子Ａに接続されたＥＤＩＤ−ＲＯＭ３１２には受け取ったＥＤＩＤをそのまま書き込む。一方Ｓ４０３では、パススルー機Ｂ３０３のＨＤＭＩ端子Ｂに接続されたＥＤＩＤ−ＲＯＭ３１３に、ＥＤＩＤ中の物理アドレスを"２.０.０.０"に書き換えて書き込む。
【００３５】
また同時にＳ４０４においてパススルー機Ｂ３０３の制御部２０１は、有線で接続された機器から受信したＣＥＣコマンドのパススルー機Ａ３０２への無線通信によるパススルー伝送を停止する。この状態で、Ｓ４０５において制御部２０１はＨＰＤラインをアサートし、各接続機器にこのＥＤＩＤを取得させる。図３（ｂ）は、この時の状態を一例として示す。図３（ｂ）では、パススルー機Ｂ３０３のＨＤＭＩ端子Ａに接続されたＳＴＢ−Ａ３０４の物理アドレスが"１.０.０.０"となり、レコーダＡ３０５の物理アドレスが"１.１.０.０"となる。また、ＨＤＭＩ端子Ｂに接続されたＡＶアンプ３０６の物理アドレスが"２.０.０.０"となり、レコーダＢ３０７の物理アドレスが"２.１.０.０"となる。
【００３６】
このようにして各機器の物理アドレスが確定すると、パススルー機Ｂ３０３が主体となりＳ４０６において制御部２０１は有線接続された機器に対し"Give Physical address"等のＣＥＣコマンドを送信する。これにより、有線接続された全接続機器の物理アドレスを取得することができる。なお、パススルー機の本来の動作は、受信した信号を有線から無線、無線から有線に変換するのみであるので、パススルー機自身は物理アドレスも論理アドレスも持っていない。しかし、ここではテレビ３０１の論理アドレス(０)と物理アドレス（０.０.０.０）を使用すればよい。
【００３７】
パススルー機Ｂ３０３はＳ４０７において、取得した各接続機器の物理アドレスを有線内の接続構成把握のための物理アドレスとして論理アドレスと関連付けてアドレステーブルとして保存する。当該アドレステーブルは、例えば制御部２０１が保持することができる。ここでのアドレステーブルの例は図５（ａ）に示す通りである。
【００３８】
アドレステーブル５００において、機器名５０１には、「レコーダＡ」、「ＳＴＢ−Ａ」といった各機器の名称が登録される。論理アドレス５０２には、前述のように、ＣＥＣコマンドの送信先を特定するための各機器の論理アドレスが登録される。また、パススルー機に割り当てられた物理アドレス５０３には、各機器が接続されるパススルー機に割り当てられた物理アドレスが登録される。ここでは、パススルー機Ｂ３０３の物理アドレスとして"１．０．０．０"が登録されている。また、有線内専用の物理アドレス５０４には、Ｓ４０６で各機器から取得した物理アドレスが登録される。システム全体用の物理アドレス５０５には、システム全体で考えた場合に各機器に通常に与えられる物理アドレスが登録される。ＨＤＭＩセレクタ５０６には、機器が接続されるパススルー機のＨＤＭＩ端子の識別子が登録される。ここでは、端子Ａと端子Ｂが有るので、接続されている端子の識別子が各機器に割り当てられる。
【００３９】
次に、Ｓ４０８において制御部２０１はＨＤＭＩ端子ＢのＨＰＤラインをデアサートし、接続機器がＥＤＩＤ−ＲＯＭ３１３にアクセスできない状態にする。そして、Ｓ４０９で制御部２０１がＥＤＩＤ−ＲＯＭ３１３のＥＤＩＤを本来の値に書き換えることで更新する。この場合、パススルー機Ａ３０２から受け取った値"１.０.０.０"で更新する。更新後のＳ９１０では、制御部２０１がＨＰＤラインをアサートして、有線内の各機器にＥＤＩＤを再取得させる。ＥＤＩＤの再取得が終了すると、Ｓ９１１では、パススルー機Ｂ３０３のパススルー機Ａ３０２へのＣＥＣのパススルー伝送を再開する。この時の状態を図３（ｃ）に示す。
【００４０】
図３（ｃ）では、パススルー機Ｂ３０３内のＥＤＩＤ−ＲＯＭ３１２、３１３のＥＤＩＤが"１．０．０．０"となり、ＳＴＢ−Ａ３０４及びＡＶアンプ３０６の物理アドレスが共に"１．０．０．０"となっている。また、レコーダＡ３０５及びレコーダＢ３０７の物理アドレスが共に"１．１．０．０"となっている。
【００４１】
以上の処理により、各機器に割り当てられる論理アドレスと、ＨＤＭＩセレクタの識別子とを関連づけてテーブルとして管理することが可能となる。
【００４２】
次にワンタッチプレイを行う際のパススルー機Ｂ３０３の動作について説明する。ワンタッチプレイでは、該当するソース機器からの音声映像信号が無線送受信部２０７に提供されるように、パススルー機Ｂ３０３はアドレステーブル５００を利用してＴＭＤＳセレクタを切り替える。その際のパススルー機Ｂ３０３の動作を図６のフローチャートを参照して説明する。
【００４３】
パススルー機Ｂ３０３は、Ｓ６０１において有線接続された機器からのＣＥＣコマンドを受信を監視している。もし、ＣＥＣコマンドを受信すると（Ｓ６０１で「ＹＥＳ」）、Ｓ６０２で、ＣＥＣパススルーが停止中であるかを判定する。もし、上記のＳ４０４からＳ４１１の間の処理を実行中でＣＥＣパススルーが停止中であれば（Ｓ６０２で「ＹＥＳ」）、Ｓ６０１の監視状態に戻り、無線パススルー伝送は行わない。
【００４４】
もし、ＣＥＣパススルーが停止中でなければ（Ｓ６０２で「ＮＯ」）、Ｓ６０３に移行する。Ｓ６０３では、受信したＣＥＣコマンドの内容が"Active source"であるか否かを判定する。もし、"Active source"以外であれば（Ｓ６０３で「ＮＯ」）、Ｓ６０５に移行し、受信コマンドをそのままパススルー伝送する。一方、"Active source"を受信した場合（Ｓ６０３で「ＹＥＳ」）、Ｓ６０４に移行する。この場合、現在アクティブになっているソース機器の映像と音声を無線伝送する必要があるため、Ｓ６０４では、パススルー機Ｂ３０３はＴＭＤＳセレクタ２０６をアドレステーブル５００を用いて適切な方に切り替える。即ち、ＣＥＣコマンドを送信した機器が存在する側にＨＤＭＩセレクタを切り替える。
【００４５】
アドレステーブル５００によれば、例えば受信コマンドが論理アドレス"１"を持つレコーダＡ３０５から送信された場合、この機器はＨＤＭＩセレクタ５０６の項目が「Ａ」となっている。よって、当該機器はＨＤＭＩ端子Ａ側に接続されている機器であると判断して、ＴＭＤＳセレクタ２０６をＨＤＭＩ端子Ａ側に切り替えることができる。また、"Active source"の送信元が論理アドレス"２"のレコーダＢ３０７の場合、ＨＤＭＩセレクタ５０６の項目が「Ｂ」となっている。そこで、ＨＤＭＩ端子Ｂ側に接続されていると判断して、ＴＭＤＳセレクタ２０６をＨＤＭＩ端子Ｂ側に切り替えることができる。なお、"Active source"の送信元がパススルー機Ｂ３０３に有線接続されている機器でない場合、例えばレコーダＣ３０９の場合も考えられる。しかし、このような場合は、無線通信でパススルー機Ａ３０２から受け取ったＣＥＣコマンドであるので、ＨＤＭＩセレクタ５０６の項目に登録はなく、ＴＭＤＳラインを切り替える必要はない。
【００４６】
以上の本実施形態によれば、パススルー機と有線接続している機器のツリー構造を把握して、各機器がパススルー機のどのＨＤＭＩ端子と接続しているかを管理するためのテーブルを作成することができる。当該テーブルでは、機器の論理アドレスと端子の識別子とが関連づけられる。よって、ソース機器の論理アドレスをＣＥＣコマンドにより取得すると、どのＨＤＭＩ端子に接続している機器かを直ちに識別して、ＴＭＤＳセレクタを切り替えて適切なパスを確立することができる。このようにすることでワンタッチプレイにおいてソース機器の映像と音声をシンク機器に正しく送信して、シンク機器に出力することができる。
【００４７】
また、本発明によれば１台のパススルー機に複数のソース機器を接続することができるため、無線接続をする際に使用するパススルー機の数を減らすことができる。また、その状態においても正しくソース機器の映像と音声をシンク機器に対して供給することができるため、ユーザーの経済性、操作性に優れる。
【００４８】
［実施形態２］
上述の実施形態１では、レコーダのようなソース機器側からのワンタッチプレイ等の指示により、適宜ＴＭＤＳセレクタを切り替える方法について説明した。これに対して実施形態２では、テレビのようなシンク機器を操作してソース機器の映像を表示するようにＣＥＣで制御を行う場合を説明する。実施形態２のシステム構成は実施形態１の図３（ａ）に示したものと同様であり、有線内のツリー構造の把握方法も図４のフローチャートの処理と同様であるので、それぞれ説明を省略する。
【００４９】
本実施形態では、シンク機器がソース機器に対して、接続パスを変更するためのＣＥＣコマンド（例えば"Set stream path"）を送信する。パススルー機Ｂ３０３は、パススルー機Ａ３０２から無線で該ＣＥＣコマンドを受信すると、必要に応じてパススルー機内部のＴＭＤＳセレクタ２０６を切り替えて無線送信する映像と音声を選択する。しかし、"Set stream path"はＣＥＣコマンドの宛先（Destination address）が全ての機器宛（Broadcast address）である。よって、このコマンドだけでは、どの機器の映像にパスを切り替えるべきかを判断できない。
【００５０】
そこで本実施形態では、シンク機器が直前にＣＥＣコマンドを送信した時の宛先で、対象機器を判断する。例えば、ソース機器で再生した映像をシンク機器で表示する場合、映像パスの切替を要求する前に、シンク機器はソース機器の状態を判断し、該機器を再生状態とする。ここで、パスの切替要求には、"Set stream path"コマンドが送信される。また、ソース機器の状態には、電源ON or OFF、再生中 or 停止中などが含まれる。
【００５１】
よって、パススルー機Ｂ３０３はそれらのコマンドを監視しておき、シンク機器がどの機器を操作しようとしているかを判断してその機器の論理アドレスを対象機器特定用テーブルに書き込み保存しておく。この処理の流れを図７のフローチャートを参照して説明する。また本実施形態の対象機機特定用テーブルを図５（ｂ）に示す。
【００５２】
まず、Ｓ７０１では、パススルー機Ｂ３０３は、パススルー機Ａ３０２からＣＥＣコマンドを受信したか否かを監視している。もし、ＣＥＣコマンドを受信した場合（Ｓ７０１で「ＹＥＳ」）、Ｓ７０２に移行する。Ｓ７０２では、受信したＣＥＣコマンドの送信元がシンク機器であるか否かを論理アドレスに基づき判定する。もし、送信元がシンク機器の場合（Ｓ７０２で「ＹＥＳ」）、Ｓ７０３に移行する。一方、シンク機器でない場合（Ｓ７０２で「ＮＯ」）、Ｓ７０８に移行する。
【００５３】
Ｓ７０３では、受信ＣＥＣコマンドが"Set stream path"であるか否かを判定する。もし、"Set stream path"の場合（Ｓ７０３で「ＹＥＳ」）、Ｓ７０４に移行する。一方、"Set stream path"でなかった場合（Ｓ７０３で「ＮＯ」）、Ｓ７０５に移行する。Ｓ７０４では、対象機器特定用テーブル９００を参照し、再生対象機器の論理アドレスを取得する。次に、アドレステーブル５００において、取得した論理アドレスを有する機器のＨＤＭＩセレクタ５０６の項目を参照し、該機器が接続されている側のＨＤＭＩ端子を特定する。そして、ＴＭＤＳセレクタ２０６を当該ＨＤＭＩ端子の側に切り替える。その後、Ｓ７０８に移行する。
【００５４】
Ｓ７０５では、受信ＣＥＣコマンドの宛先が単独（ユニキャスト）アドレスであるか否かを判定する。もし、単独アドレスでない場合（Ｓ７０５で「ＮＯ」）、Ｓ７０８に移行する。一方、単独アドレスである場合（Ｓ７０５で「ＹＥＳ」）、Ｓ７０６に移行する。Ｓ７０６では、受信ＣＥＣコマンドが機器にコンテンツ再生をさせる意図のあるコマンドであるかどうかを判定する。
【００５５】
コマンドの具体例として例えば、ソース機器が記録している映像等のコンテンツ再生のための「Play」コマンド、ソース機器の電源をＯＮにするための「Power」コマンド、ソース機器にメニュー画面を出力させる「Menu」コマンド等がある。なお、割り当てられる機能が同一で有れば、これらのコマンド自体の表記は、ソース機器やソース機器のベンダーに応じて異なっていてもよい。もし、ＣＥＣコマンドが該当コマンドであった場合は（Ｓ７０６で「ＹＥＳ」）、Ｓ７０７に移行する。一方、該当コマンドでなかった場合（Ｓ７０６で「ＮＯ」）、Ｓ７０８に移行する。Ｓ７０７では、受信ＣＥＣコマンドの宛先に含まれる論理アドレスを、再生対象機器の論理アドレスとして、対象機器特定用テーブル９００に登録し、Ｓ７０８に移行する。Ｓ７０８では、ＣＥＣの有線へのパススルー伝送を行う。
【００５６】
以上のように、本実施形態では、シンク機器から送信された、ソース機器に再生を行わせる意図のあるコマンドの宛先を保存しておく。そして、その後にシンク機器からSet stream pathのＣＥＣコマンドが送信された場合に、保存しておいた宛先を利用してＴＭＤＳセレクタを切り替えてパスを確立する。これにより、テレビのようなシンク機器を操作してソース機器の映像を表示するようにＣＥＣで制御を行うことができ、適切なソース機器の映像と音声をシンク機器側に送信することが可能になる。
【００５７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011101324.tif 000003
【図２】
2011101324.tif 000004
【図３】
2011101324.tif 000005
【図４】
2011101324.tif 000006
【図５】
2011101324.tif 000007
【図６】
2011101324.tif 000008
【図７】
2011101324.tif 000009
【図８】
2011101324.tif 000010
【図９】
2011101324.tif 000011